(57)【特許請求の範囲】
【請求項１】
鍵盤シャーシと、この鍵盤シャーシ上に上下方向に回転可能に配列された複数の鍵と、前記鍵盤シャーシに上下方向に回転可能に支持されて前記複数の鍵にその押鍵盤操作に応じてアクション荷重をそれぞれ付与する複数のハンマー部材とを備えた鍵盤装置において、
前記複数のハンマー部材は、前記鍵盤シャーシにそれぞれ上下方向に回転可能に支持される各軸部を順次連結させた状態で、合成樹脂によって一体に形成され、
前記複数のハンマー部材における前記各軸部の間には、隣接する前記軸部同士を連結するための連結部がそれぞれ形成されており、この各連結部は、それぞれ前記各軸部の外径よりも細く形成されることにより、前記鍵の押鍵操作によって前記ハンマー部材が回転する際に、その回転に伴ってねじれ変形することを特徴とする鍵盤装置。
【請求項２】
前記連結部は、前記複数のハンマー部材の成形時に前記合成樹脂が流れるランナー部を兼ねていることを特徴とする請求項１に記載の鍵盤装置。
【発明の詳細な説明】
【技術分野】
【０００１】
この発明は、電子ピアノや電子オルガンなどの鍵盤楽器に用いられる鍵盤装置に関する。
【背景技術】
【０００２】
従来、電子ピアノなどの鍵盤装置においては、特許文献１に記載されているように、アコースティックピアノに近似した鍵タッチ感を得るために、鍵盤シャーシ上に複数の鍵を上下方向に回転可能に取り付けると共に、この鍵盤シャーシに複数の鍵の各押鍵操作に応じて各鍵にそれぞれアクション荷重を付与する複数のハンマー部材を上下方向に回転可能に取り付けた構成のものが知られている。
【先行技術文献】
【特許文献】
【０００３】
【特許文献１】特開平０５−１０８０５９号公報
【発明の概要】
【発明が解決しようとする課題】
【０００４】
しかしながら、このような従来の鍵盤装置では、複数の鍵にそれぞれアクション荷重を付与する複数のハンマー部材がそれぞれ個別に形成されているため、複数のハンマー部材を鍵盤シャーシにそれぞれ個別に取り付ける必要がある。このため、組立作業が煩雑で面倒であるばかりか、部品点数が多くなり、部品管理も面倒で、製品の価格が高くなるという問題がある。
【０００５】
この発明が解決しようとする課題は、部品管理が簡単で、組立作業性が良く、装置全体の低価格化を図ることができる鍵盤装置を提供することである。
【課題を解決するための手段】
【０００６】
この発明は、上記問題を解決するために、次のような構成要素を備えている。
請求項１に記載の発明は、鍵盤シャーシと、この鍵盤シャーシ上に上下方向に回転可能に配列された複数の鍵と、前記鍵盤シャーシに上下方向に回転可能に支持されて前記複数の鍵にその押鍵盤操作に応じてアクション荷重をそれぞれ付与する複数のハンマー部材とを備えた鍵盤装置において、前記複数のハンマー部材は、前記鍵盤シャーシにそれぞれ上下方向に回転可能に支持される各軸部を順次連結させた状態で、合成樹脂によって一体に形成され、前記複数のハンマー部材における前記各軸部の間には、隣接する前記軸部同士を連結するための連結部がそれぞれ形成されており、この各連結部は、それぞれ前記各軸部の外径よりも細く形成されることにより、前記鍵の押鍵操作によって前記ハンマー部材が回転する際に、その回転に伴ってねじれ変形することを特徴とする鍵盤装置である。
【０００９】
請求項２に記載の発明は、前記連結部は、前記複数のハンマー部材の成形時に前記合成樹脂が流れるランナー部を兼ねていることを特徴とする請求項１に記載の鍵盤装置である。
【発明の効果】
【００１０】
この発明によれば、複数のハンマー部材を鍵盤シャーシに組み付ける際に、複数のハンマー部材を個別に鍵盤シャーシに組み付ける必要がなく、複数のハンマー部材を一度に鍵盤シャーシに組み付けることができる。このため、組立作業性が良く、部品管理も簡単で、装置全体の低価格化を図ることができる。
【図面の簡単な説明】
【００１１】
【図１】この発明を適用した鍵盤装置の一実施形態における要部を示した平面図である。
【図２】図１に示された鍵盤装置のＡ−Ａ矢視における拡大断面図である。
【図３】図１に示された鍵盤装置のＢ−Ｂ矢視における拡大断面図である。
【図４】図１に示された鍵盤装置において、全ての鍵および上部ケースを取り外した状態を示した要部の平面図である。
【図５】図４に示された複数のハンマー部材を示した要部の平面図である。
【図６】図５に示された複数のハンマー部材のＣ−Ｃ矢視における要部を示した拡大側面図である。
【発明を実施するための形態】
【００１２】
以下、図１〜図６を参照して、この発明を適用した鍵盤装置の一実施形態について説明する。
この鍵盤装置は、図１〜図３に示すように、合成樹脂製の鍵盤シャーシ１と、この鍵盤シャーシ１上に配列されて上下方向にそれぞれ回転可能に取り付けられた複数の鍵２と、この複数の鍵２にその押鍵動作に応じてそれぞれアクション荷重を付与する複数のハンマー部材３と、複数の鍵２の押鍵動作に応じてそれぞれオン信号を出力するスイッチ部４と、鍵盤シャーシ１の後端部に設けられて鍵２の後端部の上側を覆う上部ケース５とを備えている。
【００１３】
鍵盤シャーシ１は、図１〜図３に示すように、楽器本体の下部ケースを構成するものであり、その前端部（図２では右端部）には、前脚部６が底部から上方に突出して形成されている。この前脚部６の前端部（図２では右端部）には、鍵２の前端面に対応する前カバー部７が前部上方（図２では右側上方）に向けて更に突出して形成されている。この鍵盤シャーシ１の前脚部６の後部側（図２では左側）には、図２および図３に示すように、立上り部８が前脚部６よりも少し高く、且つ前カバー部６よりも少し低い高さで形成されている。
【００１４】
この立上り部８の上部における後部側（図２では右側）には、図２〜図４に示すように、後述する複数のハンマー部材３を支持するハンマー支持部１０が形成されている。このハンマー支持部１０には、複数のハンマー部材３がそれぞれ上方から挿入する複数のスリット孔１１が、鍵２の配列方向に沿って所定の間隔で設けられている。この複数のスリット孔１１の各間には、複数のハンマー部材３の後述する各軸部２８を回転可能に支持するためのほぼ半円弧状の軸受け凹部１２が、それぞれ上方に開放されて設けられている。
【００１５】
また、鍵盤シャーシ１のハンマー支持部１０の後部側（図２では左側部）には、図２および図３に示すように、基板載置部１３が形成されている。この基板載置部１３の上面には、スイッチ部４が取り付けられている。さらに、鍵盤シャーシ１の後部、つまり基板載置部１３の後部側（図２では左側部）には、図２および図３に示すように、複数の鍵２を支持する鍵載置部１４が前カバー部７とほぼ同じ高さで形成されている。
【００１６】
また、鍵盤シャーシ１の鍵載置部１４の後端部（図２では左端部）には、図２および図３に示すように、鍵盤シャーシ１の後端部を支持する後脚部１５が、鍵盤シャーシ１の上部から底部に向けて垂下されている。なお、この後脚部１５の後端部には、上部ケース５が鍵盤シャーシ１の後端部側と鍵２の後端部側とを覆った状態で取り付けられている。この上部ケース５の内部には、楽音を放音するためのスピーカ１６が設けられている。また、この鍵盤シャーシ１の底部には、底板１７が設けられている。
【００１７】
一方、鍵２は、図１〜図３に示すように、白鍵１８と黒鍵１９とを有している。白鍵１８は、図１および図２に示すように、その後部に肉厚の薄い樹脂ヒンジ部１８ａがそれぞれ形成されていると共に、この各樹脂ヒンジ部１８ａが白鍵１８の配列方向に沿って連続する白鍵連結支持部１８ｂにそれぞれ連結された状態で、これらが一体に形成された構成になっている。この白鍵１８は、図２に示すように、白鍵連結支持部１８ｂが鍵盤シャーシ１の鍵載置部１４上にビス２０によって取り付けられることにより、鍵盤シャーシ１上に支持され、この状態で樹脂ヒンジ部１８ａを中心に上下方向に回転するように構成されている。
【００１８】
また、この白鍵１８における樹脂ヒンジ部１８ａの前側部（図２では右側部）には、図２に示すように、鍵盤シャーシ１の基板載置部１３上に取り付けられたスイッチ部４を押圧するためのスイッチ押圧部２１が下側に突出して形成されている。さらに、この白鍵１８の前後方向（図２では左右方向）に位置するほぼ中間部には、ハンマー部材３に当接してハンマー部材３を上下方向に回転させるためのハンマー押圧部２２が下側に突出して形成されている。
【００１９】
同様に、黒鍵１９は、図１および図３に示すように、その後部に肉厚の薄い樹脂ヒンジ部１９ａがそれぞれ形成されていると共に、この各樹脂ヒンジ部１９ａが黒鍵１９の配列方向に沿って連続する黒鍵連結支持部１９ｂにそれぞれ連結された状態で、これらが一体に形成された構成になっている。この黒鍵１９は、図３に示すように、黒鍵連結支持部１９ｂが白鍵連結支持部１８ｂ下に重ね合わされて鍵盤シャーシ１の鍵載置部１４上にビス２０によって取り付けられることにより、鍵盤シャーシ１上に支持され、この状態で樹脂ヒンジ部１９ａを中心に上下方向に回転するように構成されている。
【００２０】
また、この黒鍵１９における樹脂ヒンジ部１９ａの前側部（図３では右側部）には、図３に示すように、鍵盤シャーシ１の基板載置部１３上に取り付けられたスイッチ部４を押圧するためのスイッチ押圧部２３が下側に突出して形成されている。さらに、この黒鍵１９の前部（図３では右部）には、ハンマー部材３に当接してハンマー部材３を回転させるためのハンマー押圧部２４が下側に突出して形成されている。
【００２１】
ところで、スイッチ部４は、図１〜図３に示すように、スイッチ基板２５と、このスイッチ基板２５上に配置されたゴムシート２６を備えている。このゴムシート２６には、ドーム状の膨出部２６ａが鍵２の各スイッチ押圧部２１、２３にそれぞれ対応して形成されている。このスイッチ部４は、ゴムシート２６の膨出部２６ａが各鍵２の各スイッチ押圧部２１、２３によって押圧された際に、膨出部２６ａが弾性変形して、その内部の可動接点がスイッチ基板２５の固定接点（いずれも図示せず）に接触してオン信号を出力するように構成されている。
【００２２】
一方、複数のハンマー部材３は、図２〜図４に示すように、それぞれ全体が縦方向に長い平板状に形成されている。すなわち、このハンマー部材３は、ハンマー本体２７と、このハンマー本体２７の上部における両側面（図２では紙面の表裏面）にそれぞれ突出して形成された軸部２８と、ハンマー本体２７の上部から斜め前側上方に突出して形成された鍵当接部２９とを備え、これらがシリコーンゴムなどの弾力性を有する合成樹脂によって一体に形成されている。
【００２３】
このハンマー部材３は、図２および図３に示すように、ハンマー本体２７が鍵盤シャーシ１の上方からハンマー支持部１０のスリット孔１１に挿入され、このハンマー本体２７の上部に形成された軸部２８が、鍵盤シャーシ１のハンマー支持部１０の軸受け凹部１２内にシリコーングリスなどの潤滑剤を介して回転自在に配置され、この状態でハンマー本体２７の上部の鍵当接部２９が、鍵盤シャーシ１のハンマー支持部１０の上方に露出して配置されるように構成されている。
【００２４】
これにより、ハンマー部材３は、図２および図３に示すように、鍵当接部２９に白鍵１８のハンマー押圧部２２および黒鍵１９のハンマー押圧部２４のいずれかがそれぞれ対応し、この状態で白鍵１８および黒鍵１９のいずれかが押鍵操作されると、鍵当接部２９が白鍵１８のハンマー押圧部２２および黒鍵１９のハンマー押圧部２４のいずれかによって押し下げられ、これによりハンマー本体２７が軸部２８を中心に時計回りに回転するように構成される。
【００２５】
この場合、ハンマー部材３は、図２および図３に示すように、白鍵１８および黒鍵１９の各鍵２が押鍵されていない初期状態のときに、ハンマー本体２７がその自重で軸部２８を中心に反時計回りに回転し、ハンマー本体２７の下部が鍵盤シャーシ１の底板１７に接近または弾力的に当接して、ハンマー本体２７が下限位置に規制されることにより、鍵当接部２９が白鍵１８のハンマー押圧部２２および黒鍵１９のハンマー押圧部２４のいずれかを押し上げて、鍵２を上部ケース５の前端下部５ａに当接させて、鍵２を下限位置に規制するように構成されている。
【００２６】
また、このハンマー部材３は、白鍵１８および黒鍵１９の各鍵２が押鍵された際に、白鍵１８のハンマー押圧部２２および黒鍵１９のハンマー押圧部２４のいずれかによって、ハンマー部材３の鍵当接部２９が押し下げられると、ハンマー本体２７がその自重に抗して軸部２８を中心に時計回りに回転して、鍵２にアクション荷重を付与し、ハンマー本体２７の下部側に位置する後側面（図２では左側面）が、鍵盤シャーシ１の基板載置部１３の下面に弾力的に当接して、ハンマー本体２７が上限位置に規制されることにより、鍵２を下限位置に規制するように構成されている。
【００２７】
このようなハンマー部材３は、図５に示すように、複数の鍵２にそれぞれ対応する状態で配列され、この状態で各ハンマー本体２７の上部における両側面（図５では左右方向の両側面）にそれぞれ突出して形成された各軸部２８が、それぞれ各連結部３０によって順次連結されていることにより、複数のハンマー部材３が全て一体に形成されるように構成されている。
【００２８】
この場合、各連結部３０は、ハンマー部材３の回転を隣接するハンマー部材３に伝えない程度に、軸部２８の外径よりも細く形成されている。また、この連結部３０は、鍵２の押鍵操作によってハンマー部材３が軸部２８を中心に回転する際に、そのハンマー部材３の回転に伴って弾力的にねじれ変形して、押鍵操作によって回転したハンマー部材３の回転が隣接するハンマー部材３に伝わらないように、ハンマー部材３の回転を吸収するように構成されている。
【００２９】
すなわち、連結部３０は、図５および図６に示すように、軸部２８の軸中心に位置し、隣接する各軸部２８間にそれぞれ形成されている。また、この連結部３０は、ハンマー本体２７が鍵盤シャーシ１のハンマー支持部１０における各スリット孔１１に上方から挿入された際に、各軸部２８と共に鍵盤シャーシ１の各スリット孔１１間に設けられた各軸受け凹部１２内に配置され、鍵盤シャーシ１に対する各ハンマー本体２７における鍵２の配列方向の位置を規制するように構成されている。
【００３０】
また、これら連結部３０のうち、複数の鍵２にそれぞれ対応した状態で配列された複数のハンマー部材３における両端部、つまり低音域と高音域とに位置する両側の各連結部３０には、図５に示すように、ビス取付部３１が設けられている。このビス取付部３１は、鍵盤シャーシ１上における鍵２の配列方向の両側に位置する箇所にビス３２によって取り付けられるように構成されている。
【００３１】
次に、このようなハンマー部材３を製作する場合について説明する。
この場合には、まず、複数のハンマー部材３を射出成形するための成形用金型３４を製作する。この成形用金型は、図５に示すように、複数のハンマー本体２７が複数の鍵２に対応するように配列され、この複数のハンマー本体２７の各軸部２８が連結部３０によって順次連結され、この連結部３０における低音域と高音域とに位置する両側の各連結部３０にビス取付部３１が形成されるように、成形用金型３４の内部に成形空間（キャビティ）が形成された構成になっている。
【００３２】
すなわち、この成形用金型３４は、図６に２点鎖で示すように、下金型３５と上金型３６とからなり、この下金型３５と上金型３６との分離面であるパーティングラインＰＬが、ハンマー本体２７の前側下部（図６では左側上部）から軸部２８の連結部３０における軸中心を通り、鍵当接部２９の上端部（図６では右端部）に亘る位置に形成されている。この場合、成形用金型３４は、各軸部２８を連結する連結部３０の形成空間が隣接するハンマー本体２７に順次合成樹脂を流すためのランナー部を兼ねている。
【００３３】
また、この成形用金型３４は、低音域と高音域とに位置する両側の各連結部３０に形成されたビス取付部３１の形成空間に合成樹脂を流し込むためのゲート部（図示せず）が形成されている。これにより、成形用金型３４は、図６に示すように、下金型３５と上金型３６とを重ね合わせ、この状態で低音域と高音域とに位置する両側のゲート部からシリコーンゴムなどの合成樹脂を流し込むと、この合成樹脂がビス取付部３１の成形空間から連結部３０の成形空間を通して軸部２８およびハンマー本体２７の各成形空間に流れ込む。
【００３４】
また、この成形用金型３４は、軸部２８およびハンマー本体２７の各成形空間に流れ込んだ合成樹脂が、次の連結部３０の成形空間から隣接する軸部２８およびそのハンマー本体２７の各成形空間に流れ込み、これを順次繰り返すことにより、複数の鍵２に対応する全てのハンマー本体２７の成形空間に順次合成樹脂が流れ込む。
【００３５】
これにより、成形用金型３４は、図５に示すように、複数のハンマー本体２７が複数の鍵２に対応するように配列され、この複数のハンマー本体２７の各軸部２８がそれぞれ各連結部３０によって順次連結され、低音域と高音域とに位置する両側の各連結部３０にビス取付部３１が、合成樹脂により一体に形成される。
【００３６】
次に、このように形成された複数のハンマー部材３を鍵盤シャーシ１に組み付ける場合について説明する。
この場合には、まず、成形用金型３４の下金型３５と上金型３６とを、図６に２点鎖で示すパーティングラインＰＬで分離し、成形用金型３４内から複数のハンマー部材３を取り出す。
【００３７】
これにより、図５に示すように、複数の鍵２に対応するように配列された複数のハンマー本体２７と、この複数のハンマー本体２７にそれぞれ形成された各軸部２８と、この各軸部２８を順次連結する連結部３０と、低音域と高音域とに位置する両側の各連結部３０に形成されたビス取付部３１とが、全て一体に連結された状態で形成される。
【００３８】
このように形成された複数のハンマー部材３を鍵盤シャーシ１に組み付ける際には、連結部３０によって連結された各軸部２８の各ハンマー本体２７の全てを、図２〜図４に示すように、鍵盤シャーシ１の上方から鍵盤シャーシ１のハンマー支持部１０に設けられた複数のスリット孔１１内にそれぞれ挿入する。そして、各軸部２８を各連結部３０と共に鍵盤シャーシ１の各スリット孔１１の間にそれぞれ形成された各軸受け凹部１２内にシリコーングリスなどの潤滑剤と共に配置する。
【００３９】
この状態で、図５に示すように、低音域と高音域とに位置する各連結部３０に設けられた各ビス取付部３１を、鍵盤シャーシ１上における鍵２の配列方向の両側に位置する箇所にビス３２によって取り付ける。これにより、複数の鍵２に対応するように配列された複数のハンマー本体２７と、この複数のハンマー本体２７にそれぞれ形成された各軸部２８と、この各軸部２８を順次連結する各連結部３０との全てが、一度に鍵盤シャーシ１に組み付けられる。このときには、各連結部３０によって鍵盤シャーシ１に対する各ハンマー本体２７における鍵２の配列方向の位置が規制される。
【００４０】
次に、このような鍵盤装置の作用について説明する。
この鍵盤装置では、複数の鍵２が白鍵１８と黒鍵１９とを有していることにより、ここでは、まず、白鍵１８について説明する。この白鍵１８が押鍵操作されていない初期状態のときには、図２に示すように、ハンマー部材３のハンマー本体２７が自身の重量によって、鍵盤シャーシ１の軸受け凹部１２に回転可能に支持された軸部２８を中心に反時計回りに回転し、このハンマー本体２７の下部が鍵盤シャーシ１の底板１７上に接近または当接する。
【００４１】
このときには、図２に示すように、ハンマー部材３の鍵当接部２９が白鍵１８のハンマー押圧部２２を押し上げる。これにより、白鍵１８は、鍵盤シャーシ１の鍵載置部１４上に取り付けられた白鍵連結支持部１８ｂの樹脂ヒンジ部１８ａを中心に反時計回りに回転し、この白鍵１８の後部上面が上部ケース５の前端下部５ａに当接して白鍵１８が上限位置に規制されている。この状態では、白鍵１８のスイッチ押圧部２１がスイッチ部４の上方に位置して離れている。
【００４２】
この状態で、白鍵１８を押鍵操作すると、図２に２点鎖線で示すように、白鍵１８が樹脂ヒンジ部１８ａを中心に時計回りに回転して、白鍵１８のハンマー押圧部２２がハンマー部材３の鍵当接部２９を押し下げる。これにより、ハンマー本体２７が自身の重量に抗して、鍵盤シャーシ１の軸受け凹部１２に回転可能に支持された軸部２８を中心に時計回りに回転し、白鍵１８にアクション荷重を付与する。このときには、軸部２８がシリコーングリスなどの潤滑剤によって軸受け凹部１２内で円滑に回転する。
【００４３】
このようにハンマー本体２７が軸部２８を中心に回転するときには、連結部３０がシリコーンゴムなどの弾性を有する合成樹脂からなり、且つ軸部２８の外径よりも細く形成されていることにより、ハンマー本体３の回転に伴って連結部３０が弾力的にねじれ変形して、ハンマー部材３の回転を吸収する。このため、ハンマー本体２７と共に軸部２８が軸受け凹部１２内で回転しても、これに隣接する軸部２８および隣接するハンマー本体２７が回転することがない。
【００４４】
そして、白鍵１８の押鍵操作に伴ってハンマー部材３が時計回りに回転して、図２に２点鎖線で示すように、ハンマー本体２７の上面が鍵盤シャーシ１の基板載置部１３の下面に弾力的に当接し、ハンマー部材３の時計回り方向の回転が停止される。このときには、ハンマー本体２７がシリコーンゴムなどの合成樹脂製であり、クッション性を有しているので、ノイズなどの異音を発生することがない。また、このときには、スイッチ部４が白鍵１８のスイッチ押圧部２１によって押圧され、ゴムシート２６の膨出部２６ａが弾性変形することにより、スイッチ部４がスイッチ信号を出力して、スピーカ１６から楽音を放音させる。
【００４５】
この後、ハンマー部材３は、その自重によって、鍵盤シャーシ１の軸受け凹部１２に回転可能に支持された軸部２８を中心に反時計回りに回転し、これに伴ってハンマー部材３の鍵当接部２９が白鍵１８のハンマー押圧部２２を押し上げる。これにより、白鍵１８は、図２に実線で示すように、初期位置に戻り、白鍵１８のスイッチ押圧部２１がスイッチ部４から上方に離れ、スイッチ部４をオフさせてスピーカ１６による楽音の発音を停止させる。
【００４６】
同様に、黒鍵１９は、押鍵操作されていない初期状態のときに、図３に実線で示すように、ハンマー部材３のハンマー本体２７が自身の重量によって、鍵盤シャーシ１の軸受け凹部１２に回転可能に支持された軸部２８を中心に反時計回りに回転し、このハンマー本体２７の下部が鍵盤シャーシ１の底板１７上に接近または当接する。
【００４７】
このときには、図３に示すように、ハンマー部材３の鍵当接部２９が黒鍵１９のハンマー押圧部２４を押し上げる。これにより、黒鍵１９は、鍵盤シャーシ１の鍵載置部１４上に取り付けられた黒鍵連結支持部１９ｂの樹脂ヒンジ部１９ａを中心に反時計回りに回転し、この黒鍵１９の後部上面が上部ケース５の前端下部に当接して黒鍵１９が上限位置に規制されている。この状態では、黒鍵１９のスイッチ押圧部２３がスイッチ部４の上方に位置して離れている。
【００４８】
この状態で、黒鍵１９を押鍵操作すると、図３に２点鎖線で示すように、黒鍵１９が樹脂ヒンジ部１９ａを中心に時計回りに回転して、黒鍵１９のハンマー押圧部２４がハンマー部材３の鍵当接部２９を押し下げる。これにより、ハンマー本体２７が自身の重量に抗して、鍵盤シャーシ１の軸受け凹部１２に回転可能に支持された軸部２８を中心に時計回りに回転し、黒鍵１９にアクション荷重を付与する。このときにも、軸部２８がシリコーングリスなどの潤滑剤によって軸受け凹部１２内で円滑に回転する。
【００４９】
このようにハンマー本体２７が軸部２８を中心に回転するときにも、連結部３０がシリコーンゴムなどの弾性を有する合成樹脂からなり、且つ軸部２８の外径よりも細く形成されていることにより、ハンマー本体３の回転に伴って連結部３０が弾力的にねじれ変形して、ハンマー部材３の回転を吸収する。このため、ハンマー本体２７と共に軸部２８が軸受け凹部１２内で回転しても、これに隣接する軸部２８および隣接するハンマー本体２７が回転することがない。
【００５０】
そして、黒鍵１９の押鍵操作に伴ってハンマー部材３が時計回りに回転して、図３に２点鎖線で示すように、ハンマー本体２７の上面が鍵盤シャーシ１の基板載置部１３の下面に弾力的に当接し、ハンマー部材３の時計回り方向の回転が停止される。このときにも、ハンマー本体２７がシリコーンゴムなどの合成樹脂製であり、クッション性を有しているので、ノイズなどの異音を発生することがない。また、このときには、スイッチ部４が黒鍵１９のスイッチ押圧部２３によって押圧され、ゴムシート２６の膨出部２６ａが弾性変形することにより、スイッチ部４がスイッチ信号を出力して、スピーカ１６から楽音を放音させる。
【００５１】
この後、ハンマー部材３は、その自重によって、鍵盤シャーシ１の軸受け凹部１２に回転可能に支持された軸部２８を中心に反時計回りに回転し、これに伴ってハンマー部材３の鍵当接部２９が黒鍵１９のハンマー押圧部２４を押し上げる。これにより、黒鍵１９は、図３に実線で示すように、初期位置に戻り、黒鍵１９のスイッチ押圧部２３がスイッチ部４から上方に離れ、スイッチ部４をオフさせてスピーカ１６による楽音の発音を停止させる。
【００５２】
このように、この鍵盤装置によれば、鍵盤シャーシ１上に上下方向に回転可能に配列された複数の鍵２にその押鍵盤操作に応じてアクション荷重をそれぞれ付与する複数のハンマー部材３が、その各回転中心である各軸部２８を順次連結させた状態で、合成樹脂によって一体に形成されているので、部品管理が簡単で、組立作業性が良く、装置全体の低価格化を図ることができる。
【００５３】
すなわち、この鍵盤装置では、複数のハンマー部材３の各軸部２８が順次連結された状態で、複数のハンマー部材３が合成樹脂によって一体に形成された構成であるから、複数のハンマー部材３を鍵盤シャーシ１に組み付ける際に、複数のハンマー部材３を個別に鍵盤シャーシ１に組み付ける必要がなく、複数のハンマー部材３を一度に鍵盤シャーシ１に組み付けることができる。このため、組立作業性が良く、部品管理も簡単で、装置全体の低価格化を図ることができる。
【００５４】
この場合、複数のハンマー部材３における各軸部２８の間には、隣接する軸部２８同士を連結するための連結部３０がそれぞれ形成されており、この各連結部３０がそれぞれ各軸部２８の外径よりも細く形成されていることより、鍵２を押鍵操作してハンマー部材３が軸を中心に回転する際に、連結部３０によってハンマー部材３の回転を隣接する軸部２８および隣接するハンマー本体２７に伝え難くすることができる。このため、押鍵操作された鍵２に対応するハンマー部材３のみを独立させて良好に回転させることができるので、良好に演奏することができる。
【００５５】
すなわち、この連結部３０は、鍵２の押鍵操作によってハンマー部材３が軸部２８を中心に回転する際に、その回転に伴ってねじれ変形する構成であることにより、押鍵操作に応じてハンマー部材３が軸部２８を中心に回転しても、そのハンマー部材３の回転に伴って、連結部３０がねじれ変形してハンマー部材３の回転を吸収することができ、これにより押鍵操作に応じて回転したハンマー部材３によって、隣接するハンマー部材３が回転するのを確実に防ぐことができる。
【００５６】
この場合、ハンマー部材３は、シリコーンゴムなどの弾性を有する合成樹脂で成形されていることにより、鍵２を押鍵操作してハンマー部材３が軸部２８を中心に回転する際に、連結部３０を弾力的にねじれ易くすることができ、これによっても隣接する軸部２８および隣接するハンマー本体２７が、押鍵操作に応じて回転するハンマー部材３と共に回転するのを確実に且つ良好に防ぐことができる。
【００５７】
また、連結部３０は、複数のハンマー部材３の成形時に合成樹脂が流れるランナー部を兼ねていることにより、複数のハンマー部材３を成形用金型３４で一度に成形する際に、成形用金型３４にランナー部を形成しなくても、連結部３０によって全てのハンマー部材３に確実に且つ良好に合成樹脂を流し込むことができる。このため、成形用金型３４の構造が簡単になり、成形用金型３４を安価に製作することができると共に、複数のハンマー部材３を低価格で良好に製作することができる。
【００５８】
なお、上述した実施形態では、ハンマー部材３をシリコーンゴムなどの合成樹脂で形成した場合について述べたが、これに限らず、ポリプロピレン（ＰＰ）などの耐屈曲性を有する合成樹脂で形成しても良く、またこれに限らず、ウレタン樹脂などのエラストマーで形成しても良い。
【００５９】
また、上述した実施形態では、連結部３０が、複数のハンマー部材３の成形時に合成樹脂を流すランナー部を兼ねていることにより、成形用金型３４にランナー部を形成していない場合について述べたが、これに限らず、成形用金型３４に連結部３０とは別にランナー部を設けても良く、また合成樹脂を流し込むためのゲート部は、低音域および高音域の両端部のみに設けられている必要はなく、中間域にもゲート部を設けても良い。
【符号の説明】
【００６０】
１  鍵盤シャーシ
２  鍵
３  ハンマー部材
１０  ハンマー支持部
１１  スリット孔
１２  軸受け凹部
１４  鍵載置部
１８  白鍵
１９  黒鍵
２２、２４  ハンマー押圧部
２７  ハンマー本体
２８  軸部
２９  鍵当接部
３０  連結部
３４  成形用金型
３５  下金型
３６  上金型
ＰＬ  パーティングライン
【図１】
0005610196.tif 000002
【図２】
0005610196.tif 000003
【図３】
0005610196.tif 000004
【図４】
0005610196.tif 000005
【図５】
0005610196.tif 000006
【図６】
0005610196.tif 000007